(57)【要約】【課題】互いに近接した複数の移動可能ルートのいずれが、ルート案内画像の案内する移動ルートであるのかを、運転者が的確に認識する。【解決手段】移動体の運転者へ移動ルートを案内するルート案内画像を、移動体進行方向前方の所定の表示エリアに画像投写手段によって表示させる移動ルート案内装置であって、移動体の位置情報に基づいて、ルート案内画像の内容及び表示位置の少なくとも一方を変更する表示制御を行う表示制御手段とを有し、ルート案内画像は、互いに近接した複数の移動可能ルートＬ１，Ｌ２にそれぞれ対応し、かつ、複数の移動可能ルートにおける運転者による視認位置関係又は予め決められた基準位置に対応させて表示される複数のルート識別画像７２４−１，７２４−２と、複数の移動可能ルートのうちルート案内画像が案内する移動ルートＬ１に対応したルート識別画像７２４−１に関連づけて表示されるルート指示画像７２５とを含む。【選択図】図８
2019174349.tif 000002
【特許請求の範囲】
【請求項１】
移動体の運転者へ移動ルートを案内するルート案内画像を、移動体進行方向前方の所定の表示エリアに画像投写手段によって表示させる移動ルート案内装置であって、
前記移動体の位置情報に基づいて、前記ルート案内画像の内容及び表示位置の少なくとも一方を変更する表示制御を行う表示制御手段を有し、
前記ルート案内画像は、互いに近接した複数の移動可能ルートにそれぞれ対応し、かつ、該複数の移動可能ルートにおける前記運転者による視認位置関係又は予め決められた基準位置に対応させて表示される複数のルート識別画像と、前記複数の移動可能ルートのうち前記ルート案内画像が案内する移動ルートに対応したルート識別画像に関連づけて表示されるルート指示画像とを含むことを特徴とする移動ルート案内装置。
【請求項２】
請求項１に記載の移動ルート案内装置において、
前記移動体の進行方向前方を撮像する撮像手段を有し、
前記表示制御手段は、前記位置情報と前記撮像手段による撮像画像とに基づいて、前記表示制御を行うことを特徴とする移動ルート案内装置。
【請求項３】
請求項１又は２に記載の移動ルート案内装置において、
前記表示制御手段は、前記ルート識別画像のうち、前記ルート案内画像が案内する移動ルートに対応したルート識別画像を他のルート識別画像よりも強調表示させることを特徴とする移動ルート案内装置。
【請求項４】
請求項１乃至３のいずれか１項に記載の移動ルート案内装置において、
前記表示制御手段は、前記ルート識別画像に対応する移動可能ルートの運転者による視認位置が前記所定の表示エリアに重ならないとき、該移動可能ルートに対する運転者の視線上に重なる該所定の表示エリア内の位置に、該ルート識別画像を表示させることを特徴とする移動ルート案内装置。
【請求項５】
請求項１乃至４のいずれか１項に記載の移動ルート案内装置において、
前記表示制御手段は、前記複数の移動可能ルートと前記移動体との距離が短いほど、前記ルート識別画像の視認性が低下するように、該ルート識別画像を表示させることを特徴とする移動ルート案内装置。
【請求項６】
請求項１乃至５のいずれか１項に記載の移動ルート案内装置において、
前記ルート指示画像は、前記複数のルート識別画像とは離間した別画像であることを特徴とする移動ルート案内装置。
【請求項７】
請求項１乃至５のいずれか１項に記載の移動ルート案内装置において、
前記複数のルート識別画像は、前記複数の移動可能ルートごとに分岐した分岐画像によって構成され、
前記ルート指示画像は、前記ルート案内画像が案内する移動ルートに対応したルート識別画像に連続する矢印画像であることを特徴とする移動ルート案内装置。
【請求項８】
請求項１乃至７のいずれか１項に記載の移動ルート案内装置において、
前記画像投写手段を備えていることを特徴とする移動ルート案内装置。
【請求項９】
請求項８に記載の移動ルート案内装置を備えることを特徴とする移動体。
【請求項１０】
移動体の運転者へ移動ルートを案内するルート案内画像を、移動体進行方向前方の所定の表示エリアに画像投写手段によって表示させる移動ルート案内方法であって、
前記移動体の位置情報を取得する位置情報取得工程と、
前記位置情報取得工程で取得する位置情報に基づいて、前記ルート案内画像の内容及び表示位置の少なくとも一方を変更する表示制御を行う表示制御工程とを有し、
前記ルート案内画像は、互いに近接した複数の移動可能ルートにそれぞれ対応し、かつ、該複数の移動可能ルートにおける前記運転者による視認位置関係又は予め決められた基準位置に対応させて表示される複数のルート識別画像と、前記複数の移動可能ルートのうち前記ルート案内画像が案内する移動ルートに対応したルート識別画像に関連づけて表示されるルート指示画像とを含むことを特徴とする移動ルート案内方法。
【発明の詳細な説明】
【技術分野】
【０００１】
本発明は、移動ルート案内装置、移動体及び移動ルート案内方法に関するものである。
【背景技術】
【０００２】
この種の移動ルート案内装置としては、移動体の運転者へ移動ルートを案内するルート案内画像を、移動体進行方向前方の所定の表示エリアに画像投写手段によって表示させるものが知られている。
【０００３】
例えば、特許文献１には、自動車（移動体）のフロントガラス（光透過部材）に画像光を投写し、フロントガラスを介して運転者が視認する前方風景に重ねて、運転者へルート案内画像を表示するヘッドアップディスプレイ装置（ＨＵＤ装置）が開示されている。このＨＵＤ装置では、例えば自動車前方の交差点に互いに近接した２つの左折ルートが存在し、そのうちの奥側の左折ルートを案内する場合、運転者が手前の左折ルートと間違えないようにする目的で、交差点の基準位置（交差点の中心付近）と当該奥側の左折ルートの入口位置とを結ぶ連結線に沿って、矢印のようなルート案内画像を表示する。
【発明の概要】
【発明が解決しようとする課題】
【０００４】
ところが、移動体進行方向の前方風景に重なるようにルート案内画像を表示させて移動体の運転者へ移動ルートを案内する場合、互いに近接した複数の移動可能ルートが存在すると、前記特許文献１に開示のＨＵＤ装置を含む従来の装置では、そのうちのいずれの移動可能ルートが、表示されるルート案内画像の案内する移動ルートであるのかを、運転者へ的確に認識させることが困難であった。
【課題を解決するための手段】
【０００５】
上述した課題を解決するために、本発明は、移動体の運転者へ移動ルートを案内するルート案内画像を、移動体進行方向前方の所定の表示エリアに画像投写手段によって表示させる移動ルート案内装置であって、前記移動体の位置情報に基づいて、前記ルート案内画像の内容及び表示位置の少なくとも一方を変更する表示制御を行う表示制御手段を有し、前記ルート案内画像は、互いに近接した複数の移動可能ルートにそれぞれ対応し、かつ、該複数の移動可能ルートにおける前記運転者による視認位置関係又は予め決められた基準位置に対応させて表示される複数のルート識別画像と、前記複数の移動可能ルートのうち前記ルート案内画像が案内する移動ルートに対応したルート識別画像に関連づけて表示されるルート指示画像とを含むことを特徴とする。
【発明の効果】
【０００６】
本発明によれば、互いに近接した複数の移動可能ルートのいずれが、ルート案内画像の案内する移動ルートであるのかを、運転者は的確に認識することが可能となる。
【図面の簡単な説明】
【０００７】
【図１】実施形態において、フロントガラス越しに運転者から見る自車両の前方風景に重ねて表示エリアに表示される虚像の一例を示す説明図。
【図２】実施形態における自動車用ＨＵＤ装置を搭載した自動車の構成を模式的に表した模式図。
【図３】同自動車用ＨＵＤ装置の内部構成を模式的に表した模式図。
【図４】同自動車用ＨＵＤ装置における制御系のハードウェアブロック図。
【図５】実施形態における移動ルート案内システムの概略構成を示すブロック図。
【図６】同移動ルート案内システムにおける物体認識装置のハードウェア構成を示す説明図。
【図７】同自動車用ＨＵＤ装置における画像制御装置の主要なハードウェアを示すハードウェアブロック図。
【図８】交差点などの進路変更地点で進路変更する状況の画像例を模式的に示した説明図。
【図９】交差点などの進路変更地点で進路変更する状況の他の画像例を模式的に示した説明図。
【図１０】（ａ）〜（ｃ）は、自車両と２つの左折可能ルートとの距離ごとの画像例を模式的に示した説明図
【図１１】ルート識別画像やルート指示画像を変更する表示制御の流れをフローチャート。
【図１２】交差点などの進路変更地点で進路変更する状況の更に他の画像例を模式的に示した説明図。
【図１３】交差点などの進路変更地点で進路変更する状況の更に他の画像例を模式的に示した説明図。
【図１４】（ａ）〜（ｃ）は、変形例１における自車両と２つの左折可能ルートとの距離ごとの画像例を模式的に示した説明図。
【図１５】変形例２における進路変更（車線変更）を案内するルート案内画像の画像例を模式的に示した説明図。
【図１６】変形例２における進路変更（車線変更）を案内するルート案内画像の他の画像例を模式的に示した説明図。
【発明を実施するための形態】
【０００８】
以下、本発明に係る移動ルート案内装置を備えた画像投写装置としての自動車用ヘッドアップディスプレイ（ＨＵＤ）装置を含む移動ルート案内システムに適用した一実施形態について説明する。
図１は、フロントガラス３０２越しに運転者３００から見る自車両３０１の前方風景に重ねて表示エリア７００に表示される虚像の一例を示す説明図である。
図２は、本実施形態における自動車用ＨＵＤ装置を搭載した自動車の構成を模式的に表した模式図である。
図３は、本実施形態における自動車用ＨＵＤ装置の内部構成を模式的に表した模式図である。
【０００９】
本実施形態における自動車用ＨＵＤ装置２００は、例えば、移動体としての自車両３０１のダッシュボード内に設置される。ダッシュボード内の自動車用ＨＵＤ装置２００から発せられる画像光である投写光Ｌが光透過部材としてのフロントガラス３０２で反射され、運転者３００に向かう。これにより、運転者３００は、後述するナビゲーション画像等のＨＵＤ表示画像を虚像Ｇとして視認することができる。なお、フロントガラス３０２の内壁面に光透過部材としてのコンバイナを設置し、コンバイナによって反射する投写光Ｌによって運転者に虚像を視認させるように構成してもよい。
【００１０】
自動車用ＨＵＤ装置２００は、ＨＵＤ本体２３０内に、赤色、緑色、青色のレーザー光源２０１Ｒ，２０１Ｇ，２０１Ｂと、各レーザー光源に対して設けられるコリメータレンズ２０２，２０３，２０４と、２つのダイクロイックミラー２０５，２０６と、光量調整部２０７と、光走査手段としての光走査装置２０８と、自由曲面ミラー２０９と、光発散部材としてのマイクロレンズアレイ２１０と、光反射部材としての投写ミラー２１１とから構成されている。本実施形態における光源ユニット２２０は、レーザー光源２０１Ｒ，２０１Ｇ，２０１Ｂ、コリメータレンズ２０２，２０３，２０４、ダイクロイックミラー２０５，２０６が、光学ハウジングによってユニット化されている。
【００１１】
レーザー光源２０１Ｒ，２０１Ｇ，２０１ＢとしてはＬＤ（半導体レーザ素子）を利用することができる。赤色レーザー光源２０１Ｒから射出される光束の波長は例えば６４０ｎｍであり、緑色レーザー光源２０１Ｇから射出される光束の波長は例えば５３０ｎｍであり、青色レーザー光源２０１Ｂから射出される光束の波長は例えば４４５ｎｍである。
【００１２】
本実施形態の自動車用ＨＵＤ装置２００は、マイクロレンズアレイ２１０上に結像される中間像を自車両３０１のフロントガラス３０２に投写することで、その中間像の拡大画像を運転者３００に虚像Ｇとして視認させる。レーザー光源２０１Ｒ，２０１Ｇ，２０１Ｂから発せられる各色レーザー光は、それぞれ、コリメータレンズ２０２，２０３，２０４で略平行光とされ、２つのダイクロイックミラー２０５，２０６により合成される。合成されたレーザー光は、光量調整部２０７で光量が調整された後、光走査装置２０８のミラーによって二次元走査される。光走査装置２０８で二次元走査された走査光Ｌ’は、自由曲面ミラー２０９で反射されて歪みを補正された後、マイクロレンズアレイ２１０に集光され、中間像を描画する。
【００１３】
なお、本実施形態では、中間像の画素（中間像の一点）ごとの光束を個別に発散させて出射する光発散部材として、マイクロレンズアレイ２１０を用いているが、他の光発散部材を用いてもよい。また、中間像Ｇ’の形成方法としては、例えば液晶ディスプレイ（ＬＣＤ）や蛍光表示管（ＶＦＤ）を利用した他の方式でもよい。
【００１４】
ただし、大きな虚像Ｇを高い輝度で表示させるには、本実施形態のようにレーザー走査方式が好ましい。
また、液晶ディスプレイ（ＬＣＤ）や蛍光表示管（ＶＦＤ）などを利用した方式では、虚像Ｇが表示される表示領域内の非画像部分にも僅かながら光が照射され、これを完全に遮断することが難しい。そのため、当該非画像部分を通じた自車両３０１の前方風景の視認性が悪いというデメリットがある。これに対し、本実施形態のようにレーザー走査方式によれば、虚像Ｇの表示領域内の非画像部分については、レーザー光源２０１Ｒ，２０１Ｇ，２０１Ｂを消灯させることにより当該非画像部分に光が照射されるのを完全に遮断することができる。よって、当該非画像部分を通じた自車両３０１の前方風景の視認性が自動車用ＨＵＤ装置２００から照射される光によって低下する事態を回避でき、前方風景の視認性が高いというメリットがある。
【００１５】
更に、表示画像の輝度を段階的に高めるような表示制御を行う場合、表示エリア７００内に表示されている各種表示画像のうち対象となる表示画像の輝度だけを段階的に高めるという表示制御が必要になる。このように表示エリア７００内の一部の画像について部分的に輝度を高めるような表示制御を行う場合も、レーザー走査方式が好適である。液晶ディスプレイ（ＬＣＤ）や蛍光表示管（ＶＦＤ）などを利用した方式では、表示エリア７００内に表示されている画像以外の画像についても輝度が高まってしまい、表示画像間の輝度差を広げることができず、画像の輝度を段階的に高める効果が十分に得られないからである。
【００１６】
光走査装置２０８は、ＭＥＭＳ（Micro Electro Mechanical Systems）等の公知のアクチュエータ駆動システムでミラーを主走査方向及び副走査方向に傾斜動作させ、ミラーに入射するレーザー光を二次元走査（ラスタスキャン）する。ミラーの駆動制御は、レーザー光源２０１Ｒ，２０１Ｇ，２０１Ｂの発光タイミングに同期して行われる。光走査装置２０８は、本実施形態の構成に限らず、例えば、互いに直交する２つの軸回りをそれぞれ揺動あるいは回動する２つのミラーからなるミラー系で構成してもよい。
【００１７】
図４は、本実施形態の自動車用ＨＵＤ装置２００における制御系のハードウェアブロック図である。
自動車用ＨＵＤ装置２００の制御系は、主に、ＦＰＧＡ２５１、ＣＰＵ２５２、ＲＯＭ２５３、ＲＡＭ２５４、Ｉ／Ｆ２５５、バスライン２５６、ＬＤドライバ２５７、ＭＥＭＳコントローラー２５８を備えている。ＦＰＧＡ２５１は、ＬＤドライバ２５７により、光源ユニット２２０のレーザー光源２０１Ｒ，２０１Ｇ，２０１Ｂを動作制御し、ＭＥＭＳコントローラー２５８により、光走査装置２０８のＭＥＭＳ２０８ａを動作制御する。ＣＰＵ２５２は、自動車用ＨＵＤ装置２００の各機能を制御する。ＲＯＭ２５３は、ＣＰＵ２５２が自動車用ＨＵＤ装置２００の各機能を制御するために実行する画像処理用プログラム等の各種プログラムを記憶している。ＲＡＭ２５４はＣＰＵ２５２のワークエリアとして使用される。Ｉ／Ｆ２５５は、外部コントローラー等と通信するためのインターフェイスであり、例えば、自車両３０１のＣＡＮ（Controller Area Network）を介して、後述の物体認識装置１００、車両ナビゲーション装置４００、各種センサ装置５００等に接続される。
【００１８】
図５は、本実施形態における移動ルート案内システムの概略構成を示すブロック図である。
本実施形態の移動ルート案内システムは、物体認識装置１００、車両ナビゲーション装置４００、センサ装置５００などが含まれている。本実施形態における自動車用ＨＵＤ装置２００は、主に、画像投写手段としてのＨＵＤ本体２３０と、表示制御手段としての画像制御装置２５０とから構成される。
【００１９】
本実施形態の移動ルート案内装置としては、画像制御装置２５０と車両ナビゲーション装置４００とから構成されてもよいし、更にＨＵＤ本体２３０を含む構成であってもよい。また、本実施形態における移動ルート案内システムでは、その構成装置がすべて自車両３０１に搭載されているが、一部の構成装置が自車両３０１の外部に設置されていてもよい。
【００２０】
図６は、本実施形態における物体認識装置１００のハードウェア構成を示す説明図である。
本実施形態の物体認識装置１００は、自車両３０１の前方領域を撮像領域として撮像する撮像手段としてのステレオカメラ部１１０と、ステレオカメラ部１１０によって撮像した撮像画像データに基づいて撮像領域内に存在する所定の認識対象物を認識する画像処理を実行する画像処理手段としての情報処理部１２０とから構成されている。なお、ステレオカメラ部１１０に代えて、撮像手段としての単眼カメラと測距手段としてのレーザレーダ（ミリ波レーダ）とを組み合わせた構成を採用してもよい。
【００２１】
ステレオカメラ部１１０は、左目用となる第１のカメラ部１１０Ａと、右目用となる第２のカメラ部１１０Ｂとの、２台のカメラ部が平行に組みつけられて構成されている。各カメラ部１１０Ａ，１１０Ｂは、それぞれレンズ１１５、画像センサ１１６、センサコントローラ１１７を備えている。画像センサ１１６は、例えばＣＣＤ（Charge Coupled Device）やＣＭＯＳ（Complementary Metal-Oxide Semiconductor）で構成されるイメージセンサを用いることができる。センサコントローラ１１７は、画像センサ１１６の露光制御、画像読み出し制御、外部回路との通信および画像データの送信制御等を行う。ステレオカメラ部１１０は、自車両３０１のフロントガラス３０２のルームミラー付近に設置される。
【００２２】
情報処理部１２０は、データバスライン１２１、シリアルバスライン１２２、ＣＰＵ（Central Processing Unit）１２３、ＦＰＧＡ（Field-Programmable Gate Array）１２４、ＲＯＭ（Read Only Memory）１２５、ＲＡＭ（Random Access Memory）１２６、シリアルＩＦ（Interface）１２７、およびデータＩＦ１２８を有している。
【００２３】
ステレオカメラ部１１０は、データバスライン１２１およびシリアルバスライン１２２を介して情報処理部１２０と接続されている。ＣＰＵ１２３は、ステレオカメラ部１１０の各センサコントローラ１１７の制御、情報処理部１２０全体の動作、画像処理等を実行制御する。各カメラ部１１０Ａ，１１０Ｂの画像センサ１１６で撮像された撮像画像の輝度画像データは、データバスライン１２１を介して情報処理部１２０のＲＡＭ１２６に書き込まれる。ＣＰＵ１２３またはＦＰＧＡ１２４からのセンサ露光値の変更制御データ、画像読み出しパラメータの変更制御データ、および各種設定データ等は、シリアルバスライン１２２を介して送受信される。
【００２４】
ＦＰＧＡ１２４は、ＲＡＭ１２６に保存された画像データに対してリアルタイム性が要求される処理、例えばガンマ補正、ゆがみ補正（左右画像の平行化）、ブロックマッチングによる視差演算を行って、視差画像を生成し、ＲＡＭ１２６に再度書き込む。ＲＯＭ１２５には、車両や歩行者等の立体物、あるいは、路面上の白線等の車線境界線や路面側部に存在する縁石や中央分離帯などの所定の認識対象物を認識するための認識プログラムが記憶されている。認識プログラムは、画像処理プログラムの一例である。
【００２５】
ＣＰＵ１２３は、データＩＦ１２８を介して、例えば自車両３０１のＣＡＮを介して、車速、加速度、舵角、ヨーレート等のＣＡＮ情報を、センサ装置５００から取得する。そして、ＣＰＵ１２３は、ＲＯＭ１２５に記憶されている認識プログラムに従って、ＲＡＭ１２６に記憶されている輝度画像および視差画像を用いて画像処理を実行し、例えば先行車両３５０や車線境界線等の認識対象物の認識を行う。
【００２６】
認識対象物の認識結果データは、シリアルＩＦ１２７を介して、例えば、画像制御装置２５０、車両走行制御ユニット等の外部機器へ供給される。車両走行制御ユニットは、認識対象物の認識結果データを用いて、自車両３０１のブレーキ制御、速度制御、ステアリング制御などを行い、例えば、予め設定された車間距離を維持するように自車両３０１を先行車両に自動追尾させるクルーズコントロールや、前方の障害物との衝突を回避、軽減するための自動ブレーキ制御などを実現する。
【００２７】
本実施形態における車両ナビゲーション装置４００は、ＨＵＤ本体２３０を用いて、自車両３０１の運転者３００へ移動ルート（走行ルート）を案内するルート案内画像を表示させて、目的地に設定された地点までの移動ルートを運転者に案内する。車両ナビゲーション装置４００からは、虚像Ｇに表示させるルートナビゲーション画像を生成するために必要な情報が出力され、この情報は画像制御装置２５０に入力される。例えば、図１に示すように、自車両３０１が走行している道路の車線（走行レーン）の数、次に進路変更（右折、左折、分岐等）すべき地点までの距離、次に進路変更する方向などの情報を示す画像が含まれている。これらの情報が車両ナビゲーション装置４００から画像制御装置２５０に入力されることで、画像制御装置２５０の制御の下、自動車用ＨＵＤ装置２００によって、走行レーン指示画像７１１、進路指定画像７２１、残り距離画像７２２、交差点等名称画像７２３などのナビゲーション画像が、表示エリア７００の上段表示領域Ａに表示される。
【００２８】
また、図１に示した画像例では、表示エリア７００の下段表示領域Ｂに、道路の固有情報（道路名、制限速度等）を示す画像が表示される。この道路の固有情報も、車両ナビゲーション装置４００から画像制御装置２５０に入力される。画像制御装置２５０は、当該道路固有情報に対応する道路名表示画像７０１、制限速度表示画像７０２、追い越し禁止表示画像７０３等を、自動車用ＨＵＤ装置２００によって表示エリア７００の下段表示領域Ｂに表示させる。
【００２９】
本実施形態におけるセンサ装置５００は、自車両３０１の挙動、自車両３０１の状態、自車両３０１の周囲の状況などを示す各種情報を検出するための１又は２以上のセンサで構成されている。センサ装置５００からは、虚像Ｇとして表示させる画像を生成するために必要なセンシング情報が出力され、このセンシング情報は画像制御装置２５０に入力される。例えば、図１に示した画像例には、自車両３０１の車速を示す車速表示画像７０４（図１では「８３ｋｍ／ｈ」という文字画像）を、表示エリア７００の下段表示領域Ｂに表示させる。そのため、自車両３０１のＣＡＮ情報に含まれる車速情報がセンサ装置５００から画像制御装置２５０に入力され、画像制御装置２５０の制御の下、自動車用ＨＵＤ装置２００によって当該車速を示す文字画像が表示エリア７００の下段表示領域Ｂに表示される。
【００３０】
センサ装置５００は、自車両３０１の車速を検出するセンサ以外にも、例えば、自車両３０１の周囲（前方、側方、後方）に存在する他車両、歩行者、建造物（ガードレールや電柱等）との距離を検出するレーザーレーダー装置や撮像装置、自車両の外部環境情報（外気温、明るさ、天候等）を検出するためのセンサ、運転者３００の運転動作（ブレーキ操作、アクセル開閉度等）を検出するためのセンサ、自車両３０１の燃料タンク内の燃料残量を検出するためのセンサ、エンジンやバッテリー等の各種車載機器の状態を検出するセンサなどが挙げられる。このような情報をセンサ装置５００で検出して画像制御装置２５０へ送ることで、それらの情報を虚像Ｇとして自動車用ＨＵＤ装置２００により表示して運転者３００へ提供することができる。
【００３１】
図７は、画像制御装置２５０の主要なハードウェアを示すハードウェアブロック図である。
画像制御装置２５０は、ＣＰＵ２５２、ＲＡＭ２５４、ＲＯＭ２５３、ＩＦ２５５が、データバスラインによって互いに接続されている。ＩＦ２５５には、物体認識装置１００から出力される各種認識結果データ、センサ装置５００から出力されるセンシング情報、車両ナビゲーション装置４００から出力される各種情報などが入力される。また、ＩＦ２５５からは、自動車用ＨＵＤ装置２００の制御信号等が出力される。ＣＰＵ２５２は、ＲＯＭ２５３等に記憶されている情報提供用制御プログラムなどの各種コンピュータプログラムを実行して、画像制御装置２５０に後述する各種制御や各種処理を行わせる。
【００３２】
次に、自動車用ＨＵＤ装置２００によって表示される虚像Ｇについて説明する。
図８は、交差点などの進路変更地点で進路変更する状況の画像例を模式的に示した説明図である。
本実施形態において、進路変更地点で進路変更する状況になったら、図１に示す画像例から、図８に示すような画像例に切り替わる。図８に示す画像例において、当該進路変更地点で案内される移動ルートは、左折させるルートであるが、この進路変更地点には、図８に示すように、互いに近接する２つの左折可能ルート（移動可能ルート）Ｌ１，Ｌ２が存在している。ここでは、２つの左折可能ルートＬ１，Ｌ２のうち、奥側に位置する第一左折可能ルートＬ１へ案内する例について説明する。
【００３３】
運転者３００は、このように近接した２つの左折可能ルートＬ１，Ｌ２の実際の地点（自車両３０１が走行中の道路に面している各左折可能ルートの入口）間における位置の違いを、各左折可能ルートＬ１，Ｌ２の視認位置（各左折可能ルートＬ１，Ｌ２の入口の視認位置）の違いによって認識する。ここで、互いに近接した２つの左折可能ルートＬ１，Ｌ２の実際の地点は、自車両進行方向（運転者が視認する奥行き方向）に異なっているため、横方向や縦方向に異なっている場合とは違って、その視認位置（上下方向の位置）の違いが小さい。そのため、運転者３００は、２つの左折可能ルートＬ１，Ｌ２の実際の地点間における位置の違いを認識しにくい。
【００３４】
従来の装置は、ルート案内画像（進路方向を指し示す矢印画像など）を移動ルートの実際の地点に対応するように表示させることで、自車両３０１を進行させるべき進路（案内すべき移動ルート）を運転者に直感的に認識させようとしている。しかしながら、従来の装置では、本例のように互いに近接する２つの左折可能ルートＬ１，Ｌ２のうちのいずれか（第一左折可能ルートＬ１）に案内させる場合、２つの左折可能ルートＬ１，Ｌ２の視認位置が近すぎて、ルート案内画像の表示位置がどちらの左折可能ルートＬ１，Ｌ２に対応して表示されているのかを運転者３００が的確に認識することが難しい。
【００３５】
そこで、本実施形態では、図８に示すように、互いに近接した２つの左折可能ルートＬ１，Ｌ２のいずれか（第一左折可能ルートＬ１）を案内する場合、２つの左折可能ルートＬ１，Ｌ２にそれぞれ対応した２つのルート識別画像７２４−１，７２４−２を、２つの左折可能ルートＬ１，Ｌ２の運転者３００による視認位置関係に対応するように、表示エリア７００の上段表示領域Ａ内に表示させる。
【００３６】
ここでいう視認位置関係とは、運転者３００が実際に視認する２つの左折可能ルートＬ１，Ｌ２の視認位置の相対位置関係を意味する。図８の例では、第一左折可能ルートＬ１の視認位置が第二左折可能ルートＬ２の視認位置よりも上側に位置するという視認位置関係であるため、第一左折可能ルートＬ１に対応する第一ルート識別画像７２４−１が第二左折可能ルートＬ２に対応する第二ルート識別画像７２４−２よりも上側に表示されている。また、図８の例では、第一左折可能ルートＬ１の視認位置（第一左折可能ルートＬ１の入口の視認位置）が第二左折可能ルートＬ２の視認位置（第二左折可能ルートＬ２の入口の視認位置）よりも右側に位置するという視認位置関係であるため、第一左折可能ルートＬ１に対応する第一ルート識別画像７２４−１が第二左折可能ルートＬ２に対応する第二ルート識別画像７２４−２よりも右側に表示されている。
【００３７】
なお、２つのルート識別画像７２４−１，７２４−２の表示位置は、２つの左折可能ルートＬ１，Ｌ２の運転者３００による視認位置関係に厳格に対応している必要はなく、各ルート識別画像７２４−１，７２４−２と各左折可能ルートＬ１，Ｌ２との対応関係を直感的に把握できる程度に対応していればよい。
【００３８】
本実施形態においては、このように表示される２つのルート識別画像７２４−１，７２４−２のうち、案内すべきルートに対応したルート識別画像に関連づけて、ルート指示画像７２５が表示される。図８の画像例では、２つの左折可能ルートＬ１，Ｌ２のうち案内すべきルートは第一左折可能ルートＬ１であるため、第一左折可能ルートＬ１に対応する第一ルート識別画像７２４−１に関連づけて、ルート指示画像７２５が表示されている。
【００３９】
案内すべきルートに対応したルート識別画像とルート指示画像との関連づけは、ルート指示画像７２５が２つのルート識別画像７２４−１，７２４−２のうちのどちらを選択しているかを運転者が直感的に把握できる程度の関連性を有していればよい。図８の画像例では、ルート指示画像７２５が矢印画像であるため、その矢印画像の矢印方向の先に第一ルート識別画像７２４−１が位置するように、ルート指示画像７２５が表示されている。
【００４０】
このように、本実施形態は、互いに近接する２つの左折可能ルートＬ１，Ｌ２の実際の位置ではなく、これらの左折可能ルートＬ１，Ｌ２に対応するルート識別画像７２４−１，７２４−２を別途表示させ、案内すべきルートに対応するルート識別画像７２４−１をルート指示画像７２５によって指示することで、いずれの左折可能ルートＬ１，Ｌ２が、案内されている目的の左折ルートなのかを運転者へ案内する。これによれば、互いに近接した２つの左折可能ルートＬ１，Ｌ２の実際の地点間における位置の違いが認識しにくい状況であっても、２つの左折可能ルートＬ１，Ｌ２のうちのいずれが、案内すべき左折ルートであるのかを、運転者は的確に認識することが可能となる。
【００４１】
なお、本実施形態におけるルート識別画像７２４−１，７２４−２は、円形画像であるが、その画像の形状、大きさ、色などの画像の内容に特に制限はない。ただし、案内すべきルート（第一左折可能ルートＬ１）に対応した第一ルート識別画像７２６−１の方が第二ルート識別画像７２６−２よりも強調されるように、第一ルート識別画像７２６−１の形状、大きさ、色などの内容を決めるのが好ましい。
【００４２】
図９は、交差点などの進路変更地点で進路変更する状況の他の画像例を模式的に示した説明図である。
図８に示した画像例は、ルート識別画像７２４−１，７２４−２及びルート指示画像７２５からなるルート案内画像を表示可能な表示エリアである上段表示領域Ａが、互いに近接する２つの左折可能ルートＬ１，Ｌ２の視認位置と重なっている例であった。そのため、図８に示した画像例においては、各ルート識別画像７２４−１，７２４−２を、それぞれ対応する左折可能ルートＬ１，Ｌ２の実際の位置（各左折可能ルートＬ１，Ｌ２の入口位置）に重なるように表示させることで、各ルート識別画像７２４−１，７２４−２と各左折可能ルートＬ１，Ｌ２との対応関係をより明確なものとしている。
【００４３】
これに対し、図９に示す画像例は、２つの左折可能ルートＬ１，Ｌ２のうちの第一左折可能ルートＬ１の視認位置が上段表示領域Ａに重ならない例である。この例では、第一ルート識別画像７２４−１については、対応する第一左折可能ルートＬ１の実際の位置（第一左折可能ルートＬ１の入口位置）に重なるように表示させることができない。
【００４４】
しかしながら、このような場合であっても、本実施形態では、２つの左折可能ルートＬ１，Ｌ２にそれぞれ対応した２つのルート識別画像７２４−１，７２４−２を、２つの左折可能ルートＬ１，Ｌ２の運転者３００による視認位置関係に対応するように、表示エリア７００の上段表示領域Ａ内に表示させている。これにより、第一ルート識別画像７２４−１が、対応する第一左折可能ルートＬ１の実際の位置（第一左折可能ルートＬ１の入口位置）に重なって表示されていなくても、実際に視認している２つの左折可能ルートＬ１，Ｌ２が、それぞれ、２つのルート識別画像７２４−１，７２４−２のどちらに対応しているのかを、運転者３００は直感的に把握することができる。
【００４５】
しかも、図９の画像例においては、上段表示領域Ａに重ならない第一左折可能ルートＬ１に対応する第一ルート識別画像７２４−１を、当該第一左折可能ルートＬ１に対する運転者３００の視線Ｓ１上に重なる上段表示領域Ａ内の位置に表示させている。これにより、第一ルート識別画像７２４−１が視線の先にある実際の第一左折可能ルートＬ１に対応していることを、運転者３００に、より直感的に把握させやすい。
【００４６】
なお、運転者３００の視線Ｓ１を決めるためには、運転者３００の視点３００ａを特定する必要がある。運転者３００の視点３００ａは、予め規定されている自動車の運転者アイレンジ内の特定地点を定めても良いし、運転者の頭部位置や目の位置を検出するためのカメラやセンサなどを設け、その検出結果に基づいて運転者３００の視点３００ａを特定するようにしてもよい。
【００４７】
また、自車両３０１が進行するにつれて、自車両前方に存在する２つの左折可能ルートＬ１，Ｌ２と自車両３０１との距離が短くなっていく。そのため、運転者３００が視認する実際の２つの左折可能ルートＬ１，Ｌ２の視認位置（左折可能ルートＬ１，Ｌ２の入口位置）や視認の大きさが、自車両３０１の進行に伴って変化する。本実施形態では、車両ナビゲーション装置４００において、２つの左折可能ルートＬ１，Ｌ２の位置情報を含む地図情報と、ＧＰＳ（グローバル・ポジショニング・システム）位置情報などの自車両３０１の位置情報とを把握している。本実施形態における画像制御装置２５０は、これらの地図情報及び位置情報に基づき、ルート識別画像７２４−１，７２４−２やルート指示画像７２５の内容及び表示位置の少なくとも一方を変更する。
【００４８】
図１０（ａ）〜（ｃ）は、自車両３０１と２つの左折可能ルートＬ１，Ｌ２との距離ごとの画像例を模式的に示した説明図である。
図１１は、ルート識別画像やルート指示画像を変更する表示制御の流れをフローチャートである。
２つの左折可能ルートＬ１，Ｌ２までの距離がまだ長い状況では、例えば、図１０（ａ）に示すように、手前側の第二左折可能ルートＬ２の視認位置（第二左折可能ルートＬ２の入口位置）は上段表示領域Ａに重なるものの、奥側の第一左折可能ルートＬ１の視認位置（第一左折可能ルートＬ１の入口位置）は上段表示領域Ａに重ならない。このような場合、画像制御装置２５０は、第二ルート識別画像７２４−２については、対応する第二左折可能ルートＬ２の視認位置に重なるように表示させる一方、第一ルート識別画像７２４−１については、対応する第一左折可能ルートＬ１の視認位置には重ねずに、第一左折可能ルートＬ１に対する運転者３００の視線Ｓ１上に重なる上段表示領域Ａ内の位置に表示させる。
【００４９】
具体的には、画像制御装置２５０は、地図情報から得られる２つの左折可能ルートＬ１，Ｌ２の位置情報（入口位置の情報）と、自車両３０１の位置情報と、運転者３００の視点３００ａの位置情報とを取得する（Ｓ１）。そして、これらの情報から、運転者の視点３００ａと各左折可能ルートＬ１，Ｌ２の位置（入口位置）とを結ぶ運転者３００の視線Ｓ１，Ｓ２とを算出する（Ｓ２）。
【００５０】
次に、算出した視線Ｓ１，Ｓ２から、２つの左折可能ルートＬ１，Ｌ２の入口位置（視認位置）が上段表示領域Ａに重なっているか否かを判断する（Ｓ３）。この判断において、入口位置が上段表示領域Ａに重なっていると判断される第二左折可能ルートＬ２については、図１０（ａ）に示すように、上段表示領域Ａ上における第二左折可能ルートＬ２の視認位置に、第二ルート識別画像７２４−２を表示させる（Ｓ４）。一方、入口位置が上段表示領域Ａに重なっていないと判断される第一左折可能ルートＬ１については、図１０（ａ）に示すように、第一左折可能ルートＬ１に対する運転者３００の視線Ｓ１が通る上段表示領域Ａ上の端部位置に、第一ルート識別画像７２４−１を表示させる（Ｓ５）。
【００５１】
以上の表示制御は、自車両３０１が左折可能ルートＬ１，Ｌ２を通過するなどの表示終了条件が満たされるまで繰り返し行われる（Ｓ６）。したがって、例えば、自車両３０１が進行して、第一左折可能ルートＬ１についても、その入口位置が上段表示領域Ａ内に重なるようになれば（Ｓ３のＹｅｓ）、図１０（ｂ）に示すように、上段表示領域Ａ上における第一左折可能ルートＬ１の視認位置に、第一ルート識別画像７２４−１が表示されるようになる（Ｓ４）。
【００５２】
自車両３０１が進行するにつれて、第一左折可能ルートＬ１に対する視線Ｓ１と、第二左折可能ルートＬ２に対する視線Ｓ２とのなす角（視線角度）θは、図１０（ａ）〜（ｃ）に示すように、刻々に変化していく。また、自車両３０１が進行するにつれて、上段表示領域Ａ上における左折可能ルートＬ１，Ｌ２の入口位置も、刻々に変化していく。そして、本実施形態では、このように刻々と変化する中でも、上段表示領域Ａ内のルート識別画像７２４−１，７２４−２の表示位置や第一ルート識別画像７２４−１に関連づけられたルート指示画像７２５の位置や向き（矢印の向き）などが刻々と変化する。これにより、移動中の自車両３０１の運転者３００は、視認する実際の２つの左折可能ルートＬ１，Ｌ２の視認位置や視認の大きさなどが刻々と変化する中でも、表示されるルート識別画像７２４−１，７２４−２やルート指示画像７２５と実際の左折可能ルートＬ１，Ｌ２との関係性を認識し続けることができる。
【００５３】
ルート識別画像７２４−１，７２４−２の変化は、表示位置に限らず、例えば、大きさ、色彩、形状などの画像内容を変化させるようにしてもよい。例えば、左折可能ルートＬ１，Ｌ２の入口位置までの距離が短くなるにつれて、ルート識別画像７２４−１，７２４−２が大きくなるように変化させたり、ルート識別画像７２４−１，７２４−２の輝度が低下するように変化させたりしてもよい。
【００５４】
特に、運転者３００の視点３００ａから各左折可能ルートＬ１，Ｌ２の入口位置までの視線Ｓ１，Ｓ２のなす角θは、自車両３０１が各左折可能ルートＬ１，Ｌ２の入口位置に近づくにつれて、図１０（ａ）〜（ｃ）に示すように刻々に広がっていき、各左折可能ルートＬ１，Ｌ２間の空間的な位置の違いを運転者３００が認識しやすくなっていく。そのため、自車両３０１が各左折可能ルートＬ１，Ｌ２の入口位置に近づくにつれて、ルート識別画像７２４−１，７２４−２の必要性も低くなっていく。よって、ルート識別画像７２４−１，７２４−２の内容を変化させる場合、自車両３０１が各左折可能ルートＬ１，Ｌ２の入口位置に近づくにつれて、ルート識別画像７２４−１，７２４−２の視認性が低くなるように変化させるのが好ましい。
【００５５】
ルート識別画像７２４−１，７２４−２の変更方法としては、視線角度θが一段又は二段以上の各閾値を超えるたびにルート識別画像７２４−１，７２４−２が段階的に変化するようにしてもよいし、閾値を用いずに視線角度θに基づく演算結果に応じてルート識別画像７２４−１，７２４−２が連続的に変化するようにしてもよい。例えば、ルート識別画像７２４−１，７２４−２の変更対象となるパラメータ（輝度、大きさ等）に対する重みを「Ｗ」（０≦Ｗ≦１）としたとき、下記の式（１）より視線角度θから求める重みＷを用いてルート識別画像７２４−１，７２４−２のパラメータを変更して、ルート識別画像７２４−１，７２４−２を変化させてもよい。
Ｗ  ＝  （２π−θ）／２π  ・・・（１）
【００５６】
なお、ルート指示画像７２５の変化についても、同様に、表示位置に限らず、例えば、大きさ、色彩、形状などの画像内容を変化させるようにしてもよい。
【００５７】
また、各左折可能ルートＬ１，Ｌ２に対する運転者の視線Ｓ１，Ｓ２の算出精度を高めるために、物体認識装置１００による各左折可能ルートＬ１，Ｌ２の入口の認識結果を利用してもよい。具体的には、例えば、物体認識装置１００によって、自車両前方の路端又は路側帯を認識し、その認識結果から路端又は路側帯の切れ目を各左折可能ルートＬ１，Ｌ２の入口として検出する。この検出結果から特定される各左折可能ルートＬ１，Ｌ２の入口位置の情報によって運転者の視線Ｓ１，Ｓ２の算出結果を補正する。
【００５８】
また、本実施形態において、左折可能ルートＬ１，Ｌ２の入口位置（視認位置）が上段表示領域Ａに重ならない状況における表示方法は、左折可能ルートＬ１，Ｌ２に対する運転者３００の視線Ｓ１が通る上段表示領域Ａ上の端部位置にルート識別画像７２４−１，７２４−２を表示させるという方法であるが、これに限られない。
【００５９】
例えば、ルート識別画像７２４−１，７２４−２及びルート指示画像７２５からなるルート案内画像を表示可能な表示エリアである上段表示領域Ａが狭い場合、２つの左折可能ルートＬ１，Ｌ２の入口位置のいずれもが上段表示領域Ａに重ならない場合がある。このような場合、各左折可能ルートＬ１，Ｌ２に対する運転者３００の視線Ｓ１，Ｓ２が通る上段表示領域Ａ上の端部位置に各ルート識別画像７２４−１，７２４−２を表示させる方法だと、図１２に示すような画像例となるおそれがある。この画像例では、第一ルート識別画像７２４−１を指し示しているルート指示画像７２５が、第二左折可能ルートＬ２の入口位置を指し示しているように誤認されるおそれがある。
【００６０】
一方、例えば、図１３に示すように、２つの左折可能ルートＬ１，Ｌ２の運転者３００による視認位置関係に対応しつつ、自車両３０１が走行している道路の路端又は路側帯に沿って、ルート識別画像７２４−１，７２４−２を上段表示領域Ａ内に表示させる方法を採用してもよい。すなわち、自車両３０１が走行している道路の路端又は路側帯に沿って、奥側の第一左折可能ルートＬ１に対応する第一ルート識別画像７２４−１を上側（実空間上の奥側）に、手前側の第二左折可能ルートＬ２に対応する第二ルート識別画像７２４−２を下側（実空間上の手前側）に、表示させるようにしてもよい。
【００６１】
〔変形例１〕
次に、上述した実施形態におけるルート案内画像の一変形例（以下、本変形例を「変形例１」という。）について説明する。
図１４（ａ）〜（ｃ）は、本変形例１における自車両３０１と２つの左折可能ルートＬ１，Ｌ２との距離ごとの画像例を模式的に示した説明図である。
図１４（ａ）〜（ｃ）に示す画像例は、ルート案内画像を構成するルート識別画像及びルート指示画像の他の例を示すものである。この例において、互いに近接する２つの左折可能ルートＬ１，Ｌ２にそれぞれ対応する２つのルート識別画像７２６−１，７２６−２が、２つの左折可能ルートＬ１，Ｌ２ごとに分岐した分岐画像によって構成されている。そして、案内すべきルート（第一左折可能ルートＬ１）に対応したルート識別画像７２６−１に関連づけて表示されるルート指示画像７２７は、当該ルート識別画像７２６−１に連続する矢印画像で構成されている。
【００６２】
案内すべきルート（第一左折可能ルートＬ１）に対応した第一ルート識別画像７２６−１及びルート指示画像７２７からなる矢印は、当該第一左折可能ルートＬ１に対する運転者３００の視線Ｓ１に平行な向きであって、その視線Ｓ１に重なるように表示される。一方、第二ルート識別画像７２６−２は、第一ルート識別画像７２６−１及びルート指示画像７２７からなる矢印の基点と、第二左折可能ルートＬ２の入口位置（視認位置）とを結ぶ線分に沿って表示される長尺な図形であり、その先端は矢印になっていない。しかも、第二ルート識別画像７２６−２よりも第一ルート識別画像７２６−１の方が強調されるように、第二ルート識別画像７２６−２は、第一ルート識別画像７２６−１よりも、太さが細く、短いものとなっている。
【００６３】
〔変形例２〕
次に、上述した実施形態におけるルート案内画像の他の変形例（以下、本変形例を「変形例２」という。）について説明する。
上述した実施形態や変形例１は、自車両３０１を左折させて進路変更する場合の例であったが、本変形例２は、片側３車線の道路を走行している自車両３０１の車線を変更する進路変更の場合の例である。
【００６４】
図１５は、本変形例２における進路変更（車線変更）を案内するルート案内画像の画像例を模式的に示した説明図である。
図１５に示す画像例において、自車両３０１は、片側３車線の右側車線ルートＬ３を走行しているときに、片側３車線における互いに近接する残り２つの車線ルート（中央車線ルートＬ４を走行するルートと左側車線ルートＬ５を走行するルート）のうちの中央車線ルートＬ４へ車線変更するように、ルート案内画像によって案内（奨励）するものである。
【００６５】
本変形例２においては、図１５に示すように、３つの車線ルートＬ３，Ｌ４，Ｌ５にそれぞれ対応した３つのルート識別画像７２８−１，７２８−２，７２８−３を、３つの車線ルートＬ３，Ｌ４，Ｌ５の運転者３００による視認位置関係に対応するように、表示エリア７００の上段表示領域Ａ内に表示させる。図１５の例では、右側車線ルートＬ３の視認位置が中央車線ルートＬ４の視認位置よりも右側に位置し、中央車線ルートＬ４の視認位置が左側車線ルートＬ５の視認位置よりも右側に位置するという視認位置関係である。そのため、右側車線ルートＬ３に対応する第一ルート識別画像７２８−１が中央車線ルートＬ４に対応する第二ルート識別画像７２８−２よりも右側に表示され、中央車線ルートＬ４に対応する第二ルート識別画像７２８−２が左側車線ルートＬ５に対応する第三ルート識別画像７２８−３よりも右側に表示されている。
【００６６】
本変形例２においても、このように表示される３つのルート識別画像７２８−１，７２８−２，７２８−３のうち、案内すべきルートに対応したルート識別画像に関連づけて、ルート指示画像７２９が表示される。図１５の画像例では、３つの車線ルートＬ３，Ｌ４，Ｌ５のうち案内すべきルートは中央車線ルートＬ４であるため、中央車線ルートＬ４に対応する第二ルート識別画像７２８−２に関連づけて、ルート指示画像７２９が表示されている。
【００６７】
具体的には、互いに近接する３つの車線ルートＬ３，Ｌ４，Ｌ５にそれぞれ対応する３つのルート識別画像７２８−１，７２８−２，７２８−３が、３つの車線ルートＬ３，Ｌ４，Ｌ５ごとに分岐した分岐画像によって構成されている。そして、案内すべきルート（中央車線ルートＬ４）に対応した第二ルート識別画像７２８−２に関連づけて表示されるルート指示画像７２９は、当該ルート識別画像７２８−２と連結された矢印画像で構成されている。また、案内すべきルート（中央車線ルートＬ４）に対応した第二ルート識別画像７２８−２の方が残り２つのルート識別画像７２８−１，７２８−３よりも強調されるように、当該２つのルート識別画像７２８−１，７２８−３を破線で構成し、第二ルート識別画像７２６−２を実線で構成している。
【００６８】
３つのルート識別画像７２８−１，７２８−２，７２８−３は、図１５に示すように、それぞれの車線ルートＬ３，Ｌ４，Ｌ５の中心線に沿って運転者に視認されるように、それぞれの車線ルートＬ３，Ｌ４，Ｌ５の中心線に重ねて表示される。
【００６９】
このように、本変形例２においては、互いに近接する３つの車線ルートＬ３，Ｌ４，Ｌ５の実際の位置ではなく、これらの車線ルートＬ３，Ｌ４，Ｌ５に対応するルート識別画像７２８−１，７２８−２，７２８−３を別途表示させ、案内すべきルートに対応するルート識別画像７２８−２をルート指示画像７２９によって指示することで、いずれの車線ルートＬ３，Ｌ４，Ｌ５が、案内されている目的の車線ルートなのかを運転者へ案内する。これによれば、互いに近接した３つの車線ルートＬ３，Ｌ４，Ｌ５の実際の地点間における位置の違いが認識しにくい状況であっても、３つの車線ルートＬ３，Ｌ４，Ｌ５のうちのいずれが、案内すべき車線ルートであるのかを、運転者は的確に認識することが可能となる。
【００７０】
また、図１６に示すように、ルート識別画像７２８−１，７２８−２，７２８−３及びルート指示画像７２９からなるルート案内画像を表示可能な表示エリアである上段表示領域Ａが狭い場合、車線ルートＬ４，Ｌ５が上段表示領域Ａに重ならない場合がある。このような場合、ルート識別画像７２８−２，７２８−３は、対応する車線ルートＬ４，Ｌ５の中心線に重ねて表示させることができない。この場合であっても、図１６に示すように、これらのルート識別画像７２８−２，７２８−３を、対応する車線ルートＬ４，Ｌ５の運転者３００による視認位置関係に対応するように、表示エリア７００の上段表示領域Ａ内に表示させることで、各ルート識別画像７２８−２，７２８−３がそれぞれどの車線ルートＬ４，Ｌ５に対応しているのかを、運転者３００は直感的に把握することができる。
【００７１】
なお、本実施形態（変形例を含む。）については、移動体の位置情報として、位置情報取得手段（例えば車両ナビゲーション装置４００）で取得されるＧＰＳ位置情報などの位置情報を用いているが、これに限られない。すなわち、移動体の位置情報は、移動可能ルートの位置に対する移動体の相対的な位置を特定できるものであればよく、例えば、移動体の進行方向前方を撮像する撮像手段（例えばステレオカメラ部１１０）による撮像画像を用いてもよい。この場合、撮像画像を解析して、その撮像画像に映し出されている移動可能ルートの位置に対する移動体の相対的な位置を特定する。
【００７２】
以上に説明したものは一例であり、次の態様毎に特有の効果を奏する。
［第１態様］
第１態様は、移動体（例えば自車両３０１）の運転者３００へ移動ルート（例えば第一左折可能ルートＬ１、中央車線ルートＬ４）を案内するルート案内画像を、移動体進行方向前方の所定の表示エリアに画像投写手段によって表示させる移動ルート案内装置であって、前記移動体の位置情報に基づいて、前記ルート案内画像の内容及び表示位置の少なくとも一方を変更する表示制御を行う表示制御手段（例えば画像制御装置２５０）を有し、前記ルート案内画像は、互いに近接した複数の移動可能ルート（左折可能ルートＬ１，Ｌ２、車線ルートＬ３，Ｌ４，Ｌ５）にそれぞれ対応し、かつ、該複数の移動可能ルートにおける前記運転者による視認位置関係又は予め決められた基準位置に対応させて表示される複数のルート識別画像７２４−１，７２４−２，７２６−１，７２６−２，７２８−１，７２８−２，７２８−３と、前記複数の移動可能ルートのうち前記ルート案内画像が案内する移動ルートに対応したルート識別画像７２４−１，７２６−１，７２８−２に関連づけて表示されるルート指示画像７２５，７２７，７２９とを含むことを特徴とする。
本態様によれば、移動体の位置情報に基づいてルート案内画像の内容及び表示位置の少なくとも一方が変更されるので、運転者が視認する実際の移動可能ルートの視認位置や視認の大きさが移動体の移動に伴って変化しても、その変化に応じてルート案内画像の内容や表示位置が変更される。よって、移動中の移動体の運転者は、視認する実際の移動ルートの視認位置や視認の大きさなどが刻々と変化する中でも、表示されるルート案内画像と当該ルート案内画像の案内する実際の移動ルートとの関係性を認識し続けることができる。
ここで、運転者は、複数の移動可能ルートの実際の地点間における位置の違いを、各移動可能ルートの視認位置の違いによって認識する。このとき、特に、互いに近接した複数の移動可能ルートの実際の地点が移動体進行方向（運転者が視認する奥行き方向）に異なっていると、横方向や縦方向とは違って、その視認位置の違いが小さいため、運転者は、当該複数の移動可能ルートの実際の地点間における位置の違いを認識しにくい。このため、移動ルートのルート案内画像をその移動ルートの実際の地点に対応するように表示させる従来の装置においては、互いに近接する複数の移動可能ルートのうちのいずれが、ルート案内画像の案内する移動ルートであるのかを、運転者が認識しにくい。
本態様では、互いに近接した複数の移動可能ルートにそれぞれ対応した複数のルート識別画像が、当該複数の移動可能ルートの運転者による視認位置関係又は予め決められた基準位置（移動可能ルートの実際の地点には対応しない位置）に対応するように表示される。そして、これらのルート識別画像のうち、ルート案内画像が案内する移動ルートに対応したルート識別画像に関連づけて、ルート指示画像が表示される。これにより、互いに近接した複数の移動可能ルートの実際の地点間における位置の違いが認識しにくい状況であっても、当該複数の移動可能ルートのうちのいずれが、ルート案内画像の案内する移動ルートであるのかを、運転者は的確に認識することが可能となる。
【００７３】
［第２態様］
第２態様は、第１態様において、前記移動体の進行方向前方を撮像する撮像手段（例えばステレオカメラ部１１０）を有し、前記表示制御手段は、前記位置情報と前記撮像手段による撮像画像とに基づいて、前記表示制御を行うことを特徴とする。
これによれば、複数の移動可能ルートに対する運転者の視認位置をより正確に把握することが可能となり、対応する複数のルート識別画像をより適切に表示することができる。
【００７４】
［第３態様］
第３態様は、第１又は第２態様において、前記表示制御手段は、前記ルート識別画像のうち、前記ルート案内画像が案内する移動ルートに対応したルート識別画像を他のルート識別画像よりも強調表示させることを特徴とする。
これによれば、案内されるべき移動ルートに対応するルート識別画像がいずれであるかを運転者がより把握しやすくなる。
【００７５】
［第４態様］
第４態様は、第１乃至第３態様のいずれかにおいて、前記表示制御手段は、前記ルート識別画像に対応する移動可能ルートの運転者による視認位置が前記所定の表示エリアに重ならないとき、該移動可能ルートに対する運転者の視線Ｓ１，Ｓ２上に重なる該所定の表示エリア内の位置に、該ルート識別画像を表示させることを特徴とする。
これによれば、ルート識別画像に対応する移動可能ルートの運転者による視認位置が所定の表示エリアに重ならない状況であっても、当該ルート識別画像と、対応する移動可能ルートとの対応関係を運転者が把握しやすい。
【００７６】
［第５態様］
第５態様は、第１乃至第４態様のいずれかにおいて、前記表示制御手段は、前記複数の移動可能ルートと前記移動体との距離が短いほど、前記ルート識別画像の視認性が低下するように、該ルート識別画像を表示させることを特徴とする。
複数の移動可能ルートと移動体との距離が短くなるほど、複数の移動可能ルート間における視認位置の違いが明確になってくるので、ルート識別画像の必要性が低くなってくる。このように必要性が低くなった状況のルート識別画像を視認性を低下させることで、移動体進行方向前方の視認性を高めることができる。
【００７７】
［第６態様］
第６態様は、第１乃至第５態様のいずれかにおいて、前記ルート指示画像は、前記複数のルート識別画像とは離間した別画像（例えばルート指示画像７２５）であることを特徴とする。
これによれば、複数のルート識別画像とルート指示画像とを、それぞれ独立して、表示位置や画像内容を変更しやすく、変更の自由度を高めることができる。
【００７８】
［第７態様］
第７態様は、第１乃至第５態様のいずれかにおいて、前記複数のルート識別画像は、前記複数の移動可能ルートごとに分岐した分岐画像によって構成され、前記ルート指示画像は、前記ルート案内画像が案内する移動ルートに対応したルート識別画像に連続する矢印画像であることを特徴とする。
これによれば、ルート指示画像と、対応するルート識別画像と関連づけが明確で、ルート指示画像に関連づけられているルート識別画像を運転者がより的確に把握することができる。
【００７９】
［第８態様］
第８態様は、第１乃至第７態様のいずれかにおいて、前記画像投写手段（例えばＨＵＤ本体２３０）を備えていることを特徴とする。
これによれば、画像投写手段を備えた移動ルート案内装置において、互いに近接した複数の移動可能ルートのいずれがルート案内画像の案内する移動ルートであるのかを、運転者は的確に認識することが可能となる。
【００８０】
［第９態様］
第９態様は、移動体（例えば自車両３０１）であって、第８態様に係る移動ルート案内装置を備えることを特徴とする。
これによれば、互いに近接した複数の移動可能ルートのいずれがルート案内画像の案内する移動ルートであるのかを、運転者は的確に認識することが可能な移動体を提供することができる。
【００８１】
［第１０態様］
第１０態様は、移動体の運転者へ移動ルートを案内するルート案内画像を、移動体進行方向前方の所定の表示エリアに画像投写手段によって表示させる移動ルート案内方法であって、前記移動体の位置情報を取得する位置情報取得工程と、前記位置情報取得工程で取得する位置情報に基づいて、前記ルート案内画像の内容及び表示位置の少なくとも一方を変更する表示制御を行う表示制御工程とを有し、前記ルート案内画像は、互いに近接した複数の移動可能ルートにそれぞれ対応し、かつ、該複数の移動可能ルートにおける前記運転者による視認位置関係又は予め決められた基準位置に対応させて表示される複数のルート識別画像と、前記複数の移動可能ルートのうち前記ルート案内画像が案内する移動ルートに対応したルート識別画像に関連づけて表示されるルート指示画像とを含むことを特徴とする。
本態様によれば、移動体の位置情報に基づいてルート案内画像の内容及び表示位置の少なくとも一方が変更されるので、運転者が視認する実際の移動可能ルートの視認位置や視認の大きさが移動体の移動に伴って変化しても、その変化に応じてルート案内画像の内容や表示位置が変更される。よって、移動中の移動体の運転者は、視認する実際の移動ルートの視認位置や視認の大きさなどが刻々と変化する中でも、表示されるルート案内画像と当該ルート案内画像の案内する実際の移動ルートとの関係性を認識し続けることができる。
ここで、運転者は、複数の移動可能ルートの実際の地点間における位置の違いを、各移動可能ルートの視認位置の違いによって認識する。このとき、特に、互いに近接した複数の移動可能ルートの実際の地点が移動体進行方向（運転者が視認する奥行き方向）に異なっていると、横方向や縦方向とは違って、その視認位置の違いが小さいため、運転者は、当該複数の移動可能ルートの実際の地点間における位置の違いを認識しにくい。このため、移動ルートのルート案内画像をその移動ルートの実際の地点に対応するように表示させる従来の装置においては、互いに近接する複数の移動可能ルートのうちのいずれが、ルート案内画像の案内する移動ルートであるのかを、運転者が認識しにくい。
本態様では、互いに近接した複数の移動可能ルートにそれぞれ対応した複数のルート識別画像が、当該複数の移動可能ルートの運転者による視認位置関係又は予め決められた基準位置（移動可能ルートの実際の地点には対応しない位置）に対応するように表示される。そして、これらのルート識別画像のうち、ルート案内画像が案内する移動ルートに対応したルート識別画像に関連づけて、ルート指示画像が表示される。これにより、互いに近接した複数の移動可能ルートの実際の地点間における位置の違いが認識しにくい状況であっても、当該複数の移動可能ルートのうちのいずれが、ルート案内画像の案内する移動ルートであるのかを、運転者は的確に認識することが可能となる。
【符号の説明】
【００８２】
１００      ：物体認識装置
１１０      ：ステレオカメラ部
１２０      ：情報処理部
２００      ：自動車用ＨＵＤ装置
２２０      ：光源ユニット
２３０      ：ＨＵＤ本体
２５０      ：画像制御装置
３００      ：運転者
３００ａ    ：視点
３０１      ：自車両
３０２      ：フロントガラス
４００      ：車両ナビゲーション装置
５００      ：センサ装置
７００      ：表示エリア
７２４−１，７２４−２，７２６−１，７２６−２，７２８−１，７２８−２，７２８−３：ルート識別画像
７２５，７２７，７２９：ルート指示画像
Ａ          ：上段表示領域
Ｂ          ：下段表示領域
Ｇ          ：虚像
Ｌ１，Ｌ２  ：左折可能ルート
Ｌ３，Ｌ４，Ｌ５：車線ルート
Ｓ１，Ｓ２      ：視線
【先行技術文献】
【特許文献】
【００８３】
【特許文献１】特開２０１６−２４００４号公報
【図１】
2019174349.tif 000003
【図２】
2019174349.tif 000004
【図３】
2019174349.tif 000005
【図４】
2019174349.tif 000006
【図５】
2019174349.tif 000007
【図６】
2019174349.tif 000008
【図７】
2019174349.tif 000009
【図８】
2019174349.tif 000010
【図９】
2019174349.tif 000011
【図１０】
2019174349.tif 000012
【図１１】
2019174349.tif 000013
【図１２】
2019174349.tif 000014
【図１３】
2019174349.tif 000015
【図１４】
2019174349.tif 000016
【図１５】
2019174349.tif 000017
【図１６】
2019174349.tif 000018